【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
個別スピンドル駆動部を備える紡績機若しくは撚糸機であって、１つの機械フレームを含んでおり、該機械フレームは、複数の作業部位を有しており、該複数の作業部位は、制御技術的に複数のセクションに区分けされており、該各セクションは、それぞれ複数の前記作業部位を含んでおり、前記作業部位毎に、１つのスピンドル（２０１）及び１つのスピンドル駆動部（２０３）から成る１つのスピンドルユニット（２００）が設けられており、かつ前記スピンドルユニット（２００）毎に、１つのスピンドル駆動部電子装置・ユニット（１０５）が設けられており、更に、前記スピンドルユニット（２００）の制御のための１つの機械制御・ユニット（１０１）、並びに前記セクション（１６０）毎の１つのセクション電子装置・ユニット（１１２）を含んでおり、該各セクション電子装置・ユニットは、１つのデータ通路（１３３）を介して前記機械制御・ユニット（１０１）に接続されており、前記各セクション電子装置・ユニット（１１２）には、各複数の前記スピンドル駆動部電子装置・ユニット（１０５）が１つのデータ通路（１３４）を介して接続されており、前記各複数のスピンドル駆動部電子装置・ユニットは、該各複数のスピンドル駆動部電子装置・ユニットに属する前記各セクション電子装置・ユニット（１１２）を介して前記機械制御・ユニット（１０１）により制御されるようになっている形式のものにおいて、
制御技術上の各セクション（１６０）は、各複数のスピンドル駆動部電子装置・ユニット（１０５）を備える少なくとも２つの基板（１０２．１〜１０２．４）を含んでおり、該基板に設けられた基板配線路（１３４，１４１，１４２）を介して、前記各複数のスピンドル駆動部電子装置・ユニット（１０５）に対するコミュニケーションが行われるようになっており、前記基板のうちの１つは、セクション基板（１０２．１）として形成されており、該セクション基板は、前記セクション電子装置・ユニット（１１２）、並びに外部の１つのコミュニケーション装置への１つ若しくは複数の接続インターフェース（１３５）を含んでおり、かつ、前記複数の基板（１０２．１〜１０２．４）は、前記各制御技術上のセクション（１６０）の前記複数の基板（１０２．１〜１０２．４）上の前記各個別のスピンドル駆動部電子装置・ユニット（１０５）に対するコミュニケーションが、前記セクション基板（１０２．１）を介して行われるように、互いに接続されていることを特徴とする、個別スピンドル駆動部を備える紡績機若しくは撚糸機。
【請求項２】
前記セクション・基板（１０２．１）の前記スピンドル駆動部電子装置・ユニット（１０５）は、基板配線路（１３４）により形成されたデータ通路を介して、前記各セクション電子装置・ユニット（１１２）に接続されており、該各セクション電子装置・ユニット（１１２）は、接続インターフェース（１３５）及びデータ通路（１３３）を介して機械制御・ユニット（１０１）に接続されており、前記各スピンドルユニット（２００）は、規定された相互間隔で、機械長手方向（１７５）へ延びるスピンドルレール（２０４）に取り付けられており、前記基板（２０７）は、取り付け機構により所定のセクション領域で前記スピンドルレールに取り付けられ、有利には該スピンドルレールの下側に取り付けられている請求項１に記載の紡績機若しくは撚糸機。
【請求項３】
前記少なくとも２つの基板（１０２．１〜１０２．４）において、前記出力段へのエネルギー供給及び／又は前記スピンドル駆動部電子装置・ユニット（１０５）の電子装置へのエネルギー供給が、基板配線路（１３４，１４１，１４２）を介して行われるようになっており、前記セクション基板（１０２．１）は、外部の１つ給電装置への１つ若しくは複数の接続インターフェース（１３５）を含んでおり、前記複数の基板（１０２．１〜１０２．４）は、前記制御技術上のセクション（１６０）の前記複数の基板（１０２．１〜１０２．４）上の前記各個別のスピンドル駆動部電子装置・ユニット（１０５）へのエネルギー供給が、前記セクション基板（１０２．１）を介して行われるように、互いに接続されている請求項１に記載の紡績機若しくは撚糸機。
【請求項４】
前記セクション電子装置・ユニット（１１２）は、１つの接続インターフェース（１３５）を介して１つのデータ通路（１３３）、特に１つのデータバスに接続されており、該データ通路、特にデータバスに別のセクション電子装置・ユニット（１１２）及び機械制御・ユニット（１０１）が接続されている請求項１から３のいずれか１項に記載の紡績機若しくは撚糸機。
【請求項５】
前記セクション基板（１０２．１）は、別の独立の接続インターフェース（１４４）を介して外部のエネルギー供給部（１４６）に接続されている請求項１から３のいずれか１項に記載の紡績機若しくは撚糸機。
【請求項６】
前記スピンドル駆動部電子装置・ユニット（１０５）は、前記基板（１０２）に取り付けられた差し込み接続部（１１３）を用いて、差し込み結合により保持されかつ、前記スピンドル駆動部（２０３）に電気的に接続されている請求項１から５のいずれか１項に記載の紡績機若しくは撚糸機。
【請求項７】
前記スピンドル駆動部電子装置・ユニット（１０５）は、それぞれ、表示装置及び／又はスタート・ストップ用スイッチ（１０７）への接続のための１つのインターフェース電子装置（１５３）、特に１つ若しくは複数のデジタル式のＩ／Ｏ・インターフェースを含んでおり、前記インターフェース電子装置（１５３）から、信号及び給電通路がそれぞれ前記表示装置及び／又はスタート・ストップ用スイッチ（１０７）へ延びている請求項１から６のいずれか１項に記載の紡績機若しくは撚糸機。
【請求項８】
機械長手方向（１７５）に、それぞれ前記少なくとも２つの基板（１０２．１〜１０２．４）を備える前記複数のセクションが並べて配置されており、前記基板のうちのそれぞれ１つがセクション基板（１０２．１）である請求項１から７のいずれか１項に記載の紡績機若しくは撚糸機。
【請求項９】
１つのスピンドル駆動部電子装置・ユニット（１０５）は、コントローラ（１５１）、出力段（１５２）及びインターフェース電子装置（１５３）を有している請求項１から８のいずれか１項に記載の紡績機若しくは撚糸機。
【請求項１０】
前記セクション電子装置・ユニット（１１２）は、コントローラ（１３１）及びインターフェース電子装置（１３２）を有している請求項１から９のいずれか１項に記載の紡績機若しくは撚糸機。
【請求項１１】
前記スピンドル駆動部（２０３）への供給のための供給電圧は、１つの接続インターフェース（１４４）を介して前記セクション・基板（１０２．１）へ供給され、かつ前記基板（１０２．１〜１０２．４）において、基板配線路（１４１）を介して前記スピンドル駆動部電子装置・ユニット（１０５）の前記出力段（１５２）へ供給されるようになっている請求項１から１０のいずれか１項に記載の紡績機若しくは撚糸機。
【請求項１２】
記スピンドル駆動部電子装置及び／又はセクション電子装置への供給のための供給電圧は、別の１つの接続インターフェース（１４５）を介して前記セクション・基板（１０２．１）へ供給され、若しくは前記スピンドル駆動部（２０３）のための供給通路によって受け取られかつ前記基板（１０２．１〜１０２．４）において、基板配線路（１４１）を介して前記スピンドル駆動部電子装置・ユニット（１０５）及び／又は前記セクション電子装置・ユニット（１１２）へ供給されるようになっている請求項１から１１のいずれか１項に記載の紡績機若しくは撚糸機。
【請求項１３】
前記セクション・基板（１０２．１）に、入力電圧或いは必要に応じて入力周波数を出力電圧或いは必要に応じて出力周波数に変換する変圧器（１０４）を設けてあり、該変圧器により、前記出力電圧若しくは出力周波数は、前記基板（１０２．１〜１０２．４）の前記スピンドル駆動部電子装置及び／又は前記セクション電子装置へ供給されるようになっている請求項１２に記載の紡績機若しくは撚糸機。
【請求項１４】
前記制御技術上のセクション（１６０）は、それぞれ１つの機械側（８２）に沿って、互いに並んで位置する所定の数の作業部位にわたって機械長手方向に延びている請求項１から１３のいずれか１項に記載の紡績機若しくは撚糸機。
【請求項１５】
前記スピンドルユニット（２００）は、規定された相互間隔で、機械長手方向（１７５）へ延びるスピンドルレール（２０４）に取り付けられており、前記基板（２０７）は、取り付け機構により所定のセクション領域で前記スピンドルレールに取り付けられ、有利には該スピンドルレールの下側に取り付けられている請求項１及び３から１４のいずれか１項に記載の紡績機若しくは撚糸機。
【請求項１６】
前記複数のスピンドル駆動部電子装置・ユニット（１０５）は、前記基板（２０７）において複数の差し込み結合部を用いて、前記スピンドル駆動部（２０３）に電気的に接続されており、前記差し込み結合部はそれぞれ、前記基板（２０７）に設けられた第１の１つの差し込み接続部（２０８ａ）、及び、直接的に若しくは間接的に、特に各スピンドルユニットを介してスピンドルレール（２０４）に結合された第２の１つの差し込み接続部（２０８ｂ）を含んでおり、前記基板（２０７）は、前記差し込み結合部を介して直接的若しくは間接的に前記スピンドルレール（２０４）に取り付けられている請求項２又は１５に記載の紡績機若しくは撚糸機。
【請求項１７】
前記基板（２０７）は、前記スピンドルレール（２０４）の下側に取り付けられていて、ケーシング（２０５）によって覆われており、該ケーシングは、前記スピンドルレール（２０４）に対して前記基板（２０７）を支持及び／又は固定するための手段、特にウエブ（２１１，２１２）及び／又はリブを含んでいる請求項２又は１５又は１６に記載の紡績機若しくは撚糸機。